(57)【要約】  【目的】  部品点数、組みつけ工数、を削減して安価な燃料ポンプユニット装置を提供する。  【構成】  閉塞部材１には、鍔部１ａと、鍔部１ａから上方に突出する挿入筒部１ｂと、外部燃料吐出路１ｃとが形成される。ホルダー部材２には、内部燃料吐出路２ｃが穿設され、内部燃料吐出路２ｃに向けてレギュレター燃料挿入孔２ｄとポンプ吐出路挿入孔２ｂとが開口する。閉塞部材１とホルダー部材２とが螺着されて支持部材３が形成され、ストレーナＳを備える燃料ポンプＰは閉塞部材１とホルダー部材２とによって挟持され、プレッシャーレギュレターＲはホルダー部材２に装着され、内部燃料吐出路２ｃは外部燃料吐出路１ｃに接続される。【選択図】図１
2006144553.tif 000002
【特許請求の範囲】
【請求項１】
燃料タンク内の燃料を昇圧して吐出する燃料ポンプと、燃料ポンプ内に吸入される燃料を濾過するストレーナと、燃料ポンプから吐出される燃料圧力を所定の圧力に調圧するプレッシャーレギュレターと、が支持部材に取着されるとともに該支持部材が燃料タンクに固定配置される燃料ポンプユニット装置において、支持部材３は、燃料タンクＴの底部Ｔａに開口するユニット挿入孔Ｔｂを閉塞する閉塞部材１と、閉塞部材１上に固定配置されるホルダー部材２とにより形成され、前記閉塞部材には、燃料タンクＴの底部Ｔａに当接される鍔部１ａと、鍔部１ａから上方に向かって突出し、ユニット挿入孔Ｔｂ内に挿入される挿入筒部１ｂと、挿入筒部１ｂの上端１ｂａから鍔部１ａを介して外方に向かって開口する外部燃料吐出路１ｃと、が形成され、又、ホルダー部材２は一端が燃料ポンプＰのポンプ吐出路Ｐｂに臨んで開口し、他端が外部燃料吐出路１ｃに臨んで開口する内部燃料吐出路２ｃと、内部燃料吐出路２ｃに接続配置されるプレッシャーレギュレターＲと、燃料ポンプＰの上端面Ｐｃに臨むポンプ支持段部２ａと、を備え、閉塞部材１にホルダー部材２を固定配置することにより、ストレーナＳを含む燃料ポンプＰを閉塞部材１とホルダー部材２のポンプ支持段部２ａとにより挟持し、一方、内部燃料吐出路２ｃの一端に燃料ポンプＰのポンプ吐出路Ｐｂを接続配置するとともに内部燃料吐出路２ｃの他端を外部燃料吐出路１ｃに接続配置したことを特徴とする燃料ポンプユニット装置。
【発明の詳細な説明】
【技術分野】
【０００１】
本発明は燃料タンク内の燃料を燃料ポンプにて昇圧し、この昇圧された燃料をプレッシャーレギュレターにて所定の圧力に調圧し、この燃料が燃料噴射弁を介して機関へ供給される燃料噴射装置に用いられる燃料ポンプユニット装置に関する。
【背景技術】
【０００２】
従来の燃料ポンプユニット装置について図２により説明する。
Ｔは内部に燃料が貯溜される燃料タンクであり、底部Ｔａには、ユニット挿入孔Ｔｂが形成される。
燃料ポンプユニット装置Ｕは以下によって形成される。
２０は燃料タンクＴのユニット挿入孔Ｔｂ内に挿入されて燃料タンクＴの底部Ｔａに配置される閉塞部材であり、燃料タンクＴの底部Ｔａに当接配置される鍔部２０ａと、鍔部２０ａから上方に向かって突出するとともにユニット挿入孔Ｔｂ内に挿入配置される挿入筒部２０ｂを備える。
又、前記挿入筒部の上端２０ｂａから外方に向かって外部燃料吐出路２０ｃが穿設されるもので、外部燃料吐出路２０ｃの上端は、挿入筒部２０ｂの上端２０ｂａに開口し、下端は側方に向かって外方に開口する。
２１は、閉塞部材２０の挿入筒部２０ｂの上端２０ｂａ上に固定配置される支持部材であり、支持部材２１は、挿入筒部２０ｂの上端２０ｂａ上に当接される当接部２１ａと、当接部２１ａより上方に向かって折曲げ形成される連結部２１ｂと、連結部２１ｂの上端から左側方に向かって折曲げ形成される支持部２１ｃと、によって形成される。
尚、前記支持部には、第１通孔２１ｃａと第２通孔２１ｃｂとが貫通して穿設される。
又、２２は支持部材２１の支持部２１ｃ上に固定配置された保持部材であり、保持部材２２は、支持部２１ｃ上に配置される筒状の第１保持部材２３と、第１保持部材２３に嵌合配置される有底筒状の第２保持部材２４と、により形成され、第１保持部材２３の上端と、第２保持部材２４の底部とによって燃料室２５が形成される。
そして、燃料室２５内にはポンプ吐出路挿入孔２３ａと、燃料管挿入孔２３ｂと、レギュレター燃料挿入孔２４ａと、が開口する。
前記ポンプ吐出路挿入孔２３ａと燃料管挿入孔２３ｂとは、第１保持部材２３の上端から下端に向かって穿設され、レギュレター燃料挿入孔２４ａは第２保持部材２４の底部から上端に向けて穿設される。
又、前記レギュレター燃料挿入孔には、プレッシャーレギュレターＲの燃料導入路Ｒａが挿入され、これによってプレッシャーレギュレターＲが保持部材２２に固定される。
以上をまとめてみると、支持部材２１の支持部２１ｃ上に、第１保持部材２３と第２保持部材２４とよりなる保持部材２２が固定配置され、更に保持部材２２にプレッシャーレギュレターＲが固定配置される。
そして、前記支持部材２１の当接部２１ａが閉塞部材２０の挿入筒部２０ｂの上端２０ｂａ上にネジ２６をもって螺着固定配置されるもので、このとき燃料ポンプＰは、閉塞部材２０に形成される係止段部２０ｄと支持部材２１の支持部２１ｃとによって挟持されるとともにポンプ吐出路Ｐｂが第１保持部材２３のポンプ吐出路挿入孔２３ａ内に挿入され、更に燃料管２７の上端が第１保持部材２３の燃料管挿入孔２１ｂに挿入され、下端が閉塞部材２０の外部燃料吐出路２０ｃに挿入される。
尚、Ｓは燃料ポンプＰのポンプ吸入路Ｐａに接続されたストレーナであり、挿入筒部２０ｂの内方の凹部２０ｅ内に配置される。
そして、かかる燃料ポンプユニット装置Ｕは、燃料タンクＴの底部Ｔａのユニット挿入孔Ｔｂを介して燃料タンクＴ内に挿入配置されるもので、閉塞部材２０の挿入筒部２０ｂが燃料タンクＴのユニット挿入孔Ｔｂ内に挿入されるとともに鍔部２０ａが燃料タンクＴの底部Ｔａに当接配置され、かかる状態において、鍔部２０ａがネジ２８を介して燃料タンクＴの底部Ｔａに螺着され、これによって燃料ポンプユニット装置Ｕが燃料タンクＴに固定される。
以上によると、ストレーナＳを含む燃料ポンプＰ及びプレッシャーレギュレターＲが燃料タンクＴ内に配置され、外部燃料吐出路２０ｃが燃料タンクＴ外へと開口配置される。
【発明の開示】
【発明が解決しようとする課題】
【０００３】
かかる従来の燃料ポンプユニット装置によると、燃料タンクＴ内に貯溜される燃料は、ストレーナＳにて濾過されてポンプ吸入路Ｐａを介して燃料ポンプＰ内に吸入され、燃料ポンプＰにて昇圧された燃料は、ポンプ吐出路Ｐｂより、ポンプ吐出路挿入孔２３ａを介して燃料室２５内に吐出される。
燃料室２５内の燃料の一部は、燃料導入路Ｒａを介して燃料室Ｒｂ内へ導入され、弁体Ｒｃの調圧作用により燃料室２５内の圧力を、所定の燃料圧力に調圧する。
そして、この調圧された燃料が、燃料室２５より燃料管２７内へ導入され、外部燃料吐出路２０ｃより外部の燃料噴射弁（図示せず）に供給される。
【０００４】
かかる従来の燃料ポンプユニット装置によると、支持部材２１と、第１保持部材２３、第２保持部材２４よりなる保持部材２２と、燃料管２７と、を用意する必要があり、これによると部品点数と組付け工数が増加し、製造コストを効果的に低減できない。
又、燃料管２７と、第１保持部材２３の燃料管挿入孔２３ｂとの気密保持及び第１保持部材２３と第２保持部材２４との気密保持が必要となり、Ｏリング等のシール部材が増加するとともに気密検査工程が増加し、このことも製造コストの低減を阻害する。
又、支持部材２１は、板材をプレス加工して形成されるもので、充分な剛性を確保する為に厚い板材を用いる必要があり、これによると、支持部材２１のプレス加工が困難で製造コストを低減できない。
【０００５】
本発明になる燃料ポンプユニット装置は、前記不具合に鑑み成されたもので、部品点数、組みつけ工数を削減できて安価な前記装置を提供することを目的とする。
【課題を解決するための手段】
【０００６】
本発明になる燃料ポンプユニット装置は、前記目的達成の為に、燃料タンク内の燃料を昇圧して吐出する燃料ポンプと、燃料ポンプ内に吸入される燃料を濾過するストレーナと、燃料ポンプから吐出される燃料圧力を所定の圧力に調圧するプレッシャーレギュレターと、が支持部材に取着されるとともに該支持部材が燃料タンクに固定配置される燃料ポンプユニット装置において、支持部材は、燃料タンクの底部に開口するユニット挿入孔を閉塞する閉塞部材と、閉塞部材上に固定配置されるホルダー部材とにより形成され、前記閉塞部材には、燃料タンクの底部に当接される鍔部と、鍔部から上方に向かって突出し、ユニット挿入孔内に挿入される挿入筒部と、挿入筒部の上端から鍔部を介して外方に向かって開口する外部燃料吐出路と、が形成され、又、ホルダー部材は一端が燃料ポンプのポンプ吐出路に臨んで開口し、他端が外部燃料吐出路に臨んで開口する内部燃料吐出路と、内部燃料吐出路に接続配置されるプレッシャーレギュレターと、燃料ポンプの上端面に臨むポンプ支持段部と、を備え、閉塞部材にホルダー部材を固定配置することにより、ストレーナを含む燃料ポンプを閉塞部材とホルダー部材のポンプ支持段部とにより挟持し、一方、内部燃料吐出路の一端に燃料ポンプのポンプ吐出路を接続配置するとともに内部燃料吐出路の他端を外部燃料吐出路に接続配置したことを特徴とする。
【発明の効果】
【０００７】
本発明の燃料ポンプユニット装置によると、ホルダー部材を閉塞部材に固定配置することにより、ストレーナを備える燃料ポンプを閉塞部材とホルダー部材との間に挟持することができ、ホルダー部材内に形成した内部燃料吐出路に燃料ポンプのポンプ吐出路とプレッシャーレギュレターの燃料導入路とが接続され、更に内部燃料吐出路が閉塞部材の外部燃料吐出路に接続される。
以上によると、燃料ポンプユニット装置の支持部材が閉塞部材とホルダー部材とにより形成され、特にホルダー部材内に形成した内部燃料吐出路に燃料ポンプのポンプ吐出路とプレッシャーレギュレターの燃料導入路を接続するとともに内部燃料吐出路を外部燃料吐出路に接続したので、部品点数、組みつけ工数、気密検査工程、を削減でき、もって安価でコンパクトな燃料ポンプユニット装置を提供できる。
又、ホルダー部材は内部燃料吐出路が内方に一体形成されることから、射出成形されて形成されるもので、これによるとホルダー部材の剛性を適正に向上できるとともに燃料ポンプ、プレッシャーレギュレターの支持を容易に行なうことができる。
【発明を実施するための最良の形態】
【０００８】
以下、本発明になる燃料ポンプユニット装置の一実施例について図１により説明する。
尚、燃料タンクＴ、燃料ポンプＰ、プレッシャーレギュレターＲは図２と同一構造であるので同一符号を使用して説明を省略する。
１は燃料タンクＴのユニット挿入孔Ｔｂ内に挿入されて燃料タンクＴの底部Ｔａに配置される閉塞部材であり、燃料タンクＴの底部Ｔａに当接配置される鍔部１ａと、鍔部１ａから上方に向かって突出するとともにユニット挿入孔Ｔｂ内に挿入配置される挿入筒部１ｂを備える。
又、前記挿入筒部の上端１ｂａから外方に向かって外部燃料吐出路１ｃが穿設されるもので、外部燃料吐出路１ｃの上端は、挿入筒部１ｂの上端１ｂａに開口し、下端は側方に向かって外方に開口する。
２は、ホルダー部材であり、その上方に燃料ポンプＰの上端面Ｐｃに臨むポンプ支持段部２ａが形成されるとともにポンプ支持段部２ａよりポンプ吐出路挿入孔２ｂを介して内部燃料吐出路２ｃが穿設される。
この内部燃料吐出路２ｃはホルダー部材２内に逆Ｌ字状に形成されるもので下方に向かって開口する。
又、内部燃料吐出路２ｃにはレギュレター燃料挿入孔２ｄが開口して形成される。
本例において、レギュレター燃料挿入孔２ｄは、内部燃料吐出路２ｃから右方に向かって開口して形成された。
尚、２ｅは、ホルダー部材２の下方から、挿入筒部１ｂの上端１ｂａに臨んで左側方に向かって形成された鍔部である。
【０００９】
そして、ホルダー部材２のレギュレター挿入孔２ｄ内にプレッシャーレギュレターＲの燃料導入路Ｒａが挿入され、プレッシャーレギュレターＲがホルダー部材２に固定される。
次いで、ホルダー部材２の鍔部２ｅが閉塞部材１の挿入筒部１ｂの上端１ｂａ上に配置され、ネジ３によってホルダー部材２が閉塞部材１に螺着固定される。
以上によると、ホルダー部材２と閉塞部材１とによって一体化された支持部材３が形成されるもので、このとき、内部燃料吐出路２ｃの下方端が閉塞部材１の外部燃料吐出路１ｃに接続配置される。
又、燃料ポンプＰはホルダー部材２のポンプ支持段部２ａと、閉塞部材１の支持段部１ｄとの間にパッキン４を介して挟持され、ポンプ吐出路Ｐｂはポンプ吐出路挿入孔２ｂ内に挿入配置される。
尚、ストレーナＳは燃料ポンプＰのポンプ流入路Ｐａに接続されるもので、ストレーナＳは挿入筒部１ｂの内方に配置される。
従って、支持部材３内に、内部燃料吐出路２ｃと外部燃料吐出路１ｃとよりなる燃料流路が形成されるとともに内部燃料吐出路２ｃに向けて燃料ポンプＰのポンプ吐出路Ｐｂと、プレッシャーレギュレターＲの燃料導入路Ｒａが接続される。
【００１０】
以上よりなる支持部材３が燃料タンクＴ内に配置されるもので、閉塞部材１の挿入筒部１ｂが燃料タンクＴのユニット挿入孔Ｔｂ内に挿入配置されるとともに鍔部１ａが燃料タンクＴの底部Ｔａ上に配置され、この状態において鍔部１ａが燃料タンクＴの底部Ｔａに向けてネジ２８によって螺着固定される。
以上によると、燃料タンクＴのユニット挿入孔Ｔｂは閉塞部材１の鍔部１ａによって閉塞され、ホルダー部材２に取着されたストレーナＳを含む燃料ポンプＰ及びプレッシャーレギュレターＲが燃料タンクＴ内に配置され、更にホルダー部材２に穿設される内部燃料吐出路２ｃに連なる外部燃料吐出路１ｃが閉塞部材１より外部に向かって開口配置される。
【００１１】
従って、燃料ポンプＰはストレーナＳによって異物が除去された燃料タンクＴ内の燃料をポンプ吸入路Ｐａを介して吸入するとともに燃料ポンプＰ内において昇圧し、この昇圧された燃料がポンプ吐出路Ｐｂを介して内部燃料吐出路２ｃ内へ吐出される。
そして、内部燃料吐出路２ｃ内の燃料の一部は、レギュレター燃料導入孔２ｄを介してプレッシャーレギュレターＲ内へ導入され、プレッシャーレギュレターＲによって所望の燃料圧力に調圧されるもので、この調圧された燃料が内部燃料吐出路２ｃ、外部燃料吐出路１ｃを介して外部に向けて供給される。
【００１２】
ここで本発明になる燃料ポンプユニット装置Ｕによると、支持部材３が閉塞部材１とホルダー部材２とにより形成され、ホルダー部材２内に内部燃料吐出路２ｃを形成するとともにプレッシャーレギュレターＲを取着し、更に燃料ポンプＰを閉塞部材１とホルダー部材２とによって挟持したので、従来の燃料ポンプユニット装置に比較して部品点数、組みつけ工数を削減することができ、これによって製造コストを大きく低減できたものである。
又、ホルダー部材２内に内部燃料吐出路２ｃを形成することにより、ホルダー部材２は射出成形によって形成することになり、これによるとホルダー部材の剛性を極めて簡単に高めることができるとともにコンパクトにまとめることができる。
又、前記部品点数の削減によると、部品間におけるシール部材とシール部分の気密検査工程を削減でき、このことも製造コストの低減の上で効果的である。
【図面の簡単な説明】
【００１３】
【図１】本発明の燃料ポンプユニット装置の一実施例を示す要部縦断面図。
【図２】従来の燃料ポンプユニット装置を示す要部縦断面図。
【符号の説明】
【００１４】
１      閉塞部材
１ａ    鍔部
１ｂ    挿入筒部
１ｃ    外部燃料吐出路
２      ホルダー部材
２ｃ    内部燃料吐出路
Ｐ      燃料ポンプ
Ｒ      プレッシャーレギュレター
Ｓ      ストレーナ
Ｔ      燃料タンク
【図１】
2006144553.tif 000003
【図２】
2006144553.tif 000004